(57)【要約】      （修正有）【課題】車両に搭載した蓄電システムの蓄電量を、車両外からの情報に基づいて調整することにより、変電所から車両に供給される電力の一部を補足して電力供給設備としての変電所の使用電力を平準化する鉄道車両の駆動システムを提供する。【解決手段】列車運行管理システム４４は、各き電区間における列車の運行状況（運転列車本数）を監視し、列車運行指令システム４５に運転列車本数の情報を与える。各列車は回生ブレーキによる発生電力量を蓄える電力蓄積手段を備えている。列車運行指令システム４５は、その情報に基づいて、各き電区間において運行されている列車に対して、蓄電量の増減目標値を指令し、地上に設備される指令情報送信装置１０から車上の指令情報受信装置に対して送信される。蓄電量の目標値は各き電区間において、列車本数が多い（少い）に応じて低い（高い）目標値を指令し、最大使用電力量を平準化する。【選択図】図４
2012197055.tif 000002
【特許請求の範囲】
【請求項１】
電力を供給する電力供給手段と、当該電力供給手段から送られる電力を集電手段で取り込んで走行するとともに電力を蓄える電力蓄積手段を備えた鉄道車両と、地上側に設置されており所定の線路区間毎に列車運行を管理し指令をする運行管理・指令手段とを備えた鉄道車両の駆動システムにおいて、
前記運行管理・指令手段は、前記鉄道車両の外部からの情報に基づいて、当該所定の線路区間を走行するときの前記鉄道車両の前記電力蓄積手段が蓄積すべき電力の目標値を指令し、当該目標値の指令を受けた前記鉄道車両は前記電力蓄積手段における電力蓄積を前記目標値に基づいて制御すること
を特徴とする鉄道車両の駆動システム。
【請求項２】
請求項１に記載の鉄道車両の駆動システムにおいて、
前記運行管理・指令手段は、前記目標値を指令する際に基づく情報として、前記所定の線路区間に存在する前記鉄道車両の本数を含む情報を用いること
を特徴とする鉄道車両の駆動システム。
【請求項３】
請求項１又は２に記載の鉄道車両の駆動システムにおいて、
前記電力供給手段は、最大使用電力量を定めて使用許可される変電所等の電力供給設備であること
を特徴とする鉄道車両の駆動システム。
【請求項４】
請求項１又は２に記載の鉄道車両の駆動システムにおいて、
前記鉄道車両は、前記電力供給手段から電力を取り込む集電手段と、前記電力に基づく高圧直流電力を交流電力に変換するインバータ手段と、前記インバータ手段により駆動される電動機と、前記高圧直流電力部分と低圧直流電力部分間の通流電流を調整制御するスイッチ手段と、前記通流電流を検出する手段と、前記高圧直流電力及び低圧直流電力の電圧を検出する手段と、これらの各手段を制御する制御手段を備え、前記電力蓄積手段は前記低圧直流電力の供給を受けること
を特徴とする鉄道車両の駆動システム。
【請求項５】
請求項４に記載の鉄道車両の駆動システムにおいて、
前記スイッチ手段の通流電流の調整制御は、地上側に設置されている前記運行管理・指令手段から指令されて、地上側に設置されている情報送信手段より送られ、前記鉄道車両に設備される情報受信手段で受信される蓄積すべき電力としての前記目標値に基づいて行なわれること
を特徴とする鉄道車両の駆動システム。
【請求項６】
請求項１又は２に記載の鉄道車両の駆動システムにおいて、
前記運行管理・指令手段は、前記所定の線路区間に存在する前記鉄道車両の本数に応じて指令すべき前記電力蓄積手段の前記目標値を、前記電力蓄積手段の前記目標値に応じて充電又は放電すべき電力量と前記所定の線路区間に存在する前記鉄道車両の消費電力量との合計が前記所定の線路区間における前記電力供給手段の供給電力に対して平準化されるように、定めること
を特徴とする鉄道車両の駆動システム。
【請求項７】
請求項６に記載の鉄道車両の駆動システムにおいて、
前記所定の線路区間に存在する前記鉄道車両が備える前記電力蓄積手段の電力蓄積水準は、前記所定の線路区間に存在する駅の数及び／又は前記鉄道車両の本数が多いほど低い水準に設定されていること
を特徴とする鉄道車両の駆動システム。
【請求項８】
請求項７に記載の鉄道車両の駆動システムにおいて、
前記所定の線路区間に存在する前記鉄道車両が増加する毎に低下する前記電力蓄積手段の前記電力蓄積水準の低下量は、前記鉄道車両の本数が多くなるにしたがって少なくなること
を特徴とする鉄道車両の駆動システム。
【請求項９】
請求項１又は２に記載の鉄道車両の駆動システムにおいて、
前記鉄道車両の前記電力蓄積手段は、前記所定の線路区間に存在する駅の数及び／又は他の前記鉄道車両の本数が少ないほど充電し、前記所定の線路区間に存在する駅の数及び／又は他の前記鉄道車両の本数が多いほど蓄電した電力を放電すること
を特徴とする鉄道車両の駆動システム。
【発明の詳細な説明】
【技術分野】
【０００１】
本発明は、鉄道車両の駆動システムに係り、特に、電力蓄積手段を備えていてブレーキ時の発電エネルギの蓄電を可能とし、この蓄電エネルギを再利用して駆動装置に電力を供給する鉄道車両の駆動システムに関する。
【背景技術】
【０００２】
鉄道車両は、鉄の車輪がレール面上を転がることで走行するため、走行抵抗が自動車に比べて小さいことが特徴である。特に、最近の電気鉄道車両では、ブレーキ時に主電動機を発電機として作用させることで制動力を得ると同時に、制動時に主電動機で発生する電気的エネルギを架線に戻して他車両の力行エネルギとして再利用する回生ブレーキ制御を行っている。この回生ブレーキを備える電気鉄道車両は、回生ブレーキを備えていない電気鉄道車両に比べて、約半分のエネルギ消費で走行することが可能とされており、走行抵抗が小さい鉄道車両の特徴を生かした省エネ手法といえる。
【０００３】
ところで、鉄道車両で回生ブレーキが動作するとき、回生された電力を消費する相手が必要である。これまでの一般的な鉄道車両では、回生ブレーキで発電した電力を、車両に備わる集電装置を通して架線に戻し、その車両と同じ給電区間を走行する他の車両（編成車両の場合には列車、以下同じ。）の力行電力として再利用している。同じ給電区間を複数の車両が走行しているときは、一つの車両の回生ブレーキが動作するタイミングで、力行する他車両が存在する確率が高い。逆に、同じ給電区間に一つの車両のみ走行しているときは、その車両の回生ブレーキが動作しても、その給電区間にはその電力を吸収する力行車両がいない。このため、架線に戻る回生ブレーキ電流が僅少であるため、回生電力によりインバータ装置の直流電圧が大きくなる。この結果、インバータ装置の許容電圧を上回り、高電圧保護で回生ブレーキ失効が発生し、以後は回生ブレーキが動作しない。したがって、空気ブレーキだけで停車することになるので、回生ブレーキによる省エネルギ効果が得られない。
【０００４】
このように、回生ブレーキ電力を架線に戻すには、同じ給電区間を走行しその電力を吸収する他の力行車両が必要であるという制限がある。しかし、回生ブレーキ電力を蓄電できる機能を設けられるのであれば、他の力行車両の存在に関わらず、回生ブレーキによる省エネルギ効果を得られる。
【０００５】
蓄電装置を設ける位置は、主に地上側の給電設備に併設する場合と、車上側のインバータ装置に併設する場合が考えられる。同じ給電区間に走行する車両数が比較的多い場合、その車両全てに蓄電装置を設けるよりも、給電設備に蓄電装置を併設する方が低コストに実現できる。しかし、前述のように元々車両数が多ければ、他の力行車両で回生ブレーキ電力を吸収できる確率が高い。このため、回生ブレーキ電力を吸収する蓄電装置が必要な場面では、蓄電装置を車上側のインバータ装置に併設することを選択するケースが多くなると考えられる。
【０００６】
回生電力を吸収する蓄電装置を車上側のインバータ装置に併設する例としては、特開２００５−２７８２６９号公報における車両用駆動制御装置が開示されている。
【０００７】
図７に回生電力を吸収する蓄電装置を車上側のインバータ装置に併設する機器構成の一例を示す。
力行時、インバータ１０５は、蓄電装置１０２から、或いは直流電源１０８と蓄電装置１０２とから受電し、モータ１０６を駆動する。インバータ１０５は、回生時は回生電力を蓄電装置１０２へ、或いは直流電源１０８と蓄電装置１０２とへ回生する。また、停車時や惰行時には、直流電源１０８で蓄電装置１０２を充電する、或いは蓄電装置１０２から直流電源１０８へ放電させる。蓄電装置１０２の充放電電流は、スイッチング素子１１１，１１２をスイッチングすることにより制御される。スイッチング素子１１１，１１２は、蓄電装置の充放電時の電流が、ある設定した電流よりも大きいとき、高いスイッチング周波数で動作し、電流が小さいときには、低いスイッチング周波数で動作する。また、蓄電装置１０２のみで力行・回生動作をする場合、スイッチング素子１１１，１１２のオン・オフの状態を固定する。
【先行技術文献】
【特許文献】
【０００８】
【特許文献１】特開２００５−２７８２６９号公報
【発明の開示】
【発明が解決しようとする課題】
【０００９】
鉄道システムでは、車両を加速させるエネルギ、及び車両のサービス機器等を稼動させるエネルギは、変電所より架線を経由して供給され、パンタグラフのような集電手段を介して鉄道車両に取り込まれる。ある一路線を走行する車両に必要なエネルギは、複数の変電所（電力供給設備）から供給される。具体的には、路線を一定の距離（概ね５〜１０ｋｍ）で分割した「き電区間」を設け、それぞれのき電区間には所定の一変電所より電力が供給される。き電区間同士は電気的に遮断されており、一列車に複数の変電所から電力が供給されることはない。
【００１０】
ここで、各き電区間を走行する列車は、理想的には同数であることが望ましい。これにより、各変電所からき電区間内の列車に供給する電力を平準化でき、変電所の電気的仕様を統一できるほか、ピーク電力を低減できるためより低コストな電力使用契約が可能と考えられる。
【００１１】
しかし、実際には、
（１）路線内のある区間の乗車率が、ラッシュ時のみ他に比べて高くなる。
（２）区間により車両の運行数が大きく異なる。
（３）ある特定の区間に急勾配が存在する。
というように、鉄道車両の消費電力にはき電区間ごとにばらつきがあり、各変電所からき電区間内の列車に供給する電力を平準化することは難しいと考えられていた。
【００１２】
蓄電装置を車上側のインバータ装置に併設すると、蓄電装置には蓄電可能容量の範囲内で電気エネルギが蓄えられるので、車両を加速させるエネルギ、及び車両のサービス機器等を稼動させるエネルギの一部を、蓄電装置に蓄えられた電気エネルギで補うことができる。これにより、変電所から供給されるエネルギの使用量を減らすことが可能となる。
【００１３】
特開２００５−２７８２６９号公報の車両用駆動制御装置は、回生ブレーキ電力を吸収する他の力行車両がいない場合でも、自車両に搭載した蓄電装置で回生ブレーキ電力を吸収することで省エネルギ効果を得ることが可能としたシステムであるが、蓄電装置の蓄電量を調整する機能を有しておらず、変電所の使用電力を平準化する目的で動作させることは難しい。
【００１４】
本発明の目的は、車両に搭載した蓄電装置の蓄電量を車両外からの情報に基づいて調整する機能を設けることにより、変電所から車両に供給される電力の一部を補足して、変電所の使用電力を低減することである。また、所定の路線区間を走行する列車数を検出し、その路線区間を走行する列車に搭載された蓄電装置の蓄電量をその列車数に応じて調整することにより、変電所から車両に供給される電力の一部を補足して、路線内の各変電所の使用電力を平準化することである。
【課題を解決するための手段】
【００１５】
そこで、本発明の鉄道車両の駆動システムでは、電力を供給する電力供給手段と、当該電力供給手段から送られる電力を集電手段で取り込んで走行するとともに電力を蓄える電力蓄積手段を備えた鉄道車両と、地上側に設置されており所定の線路区間毎に列車運行を管理し指令をする運行管理・指令手段とを備えた鉄道車両の駆動システムであって、前記運行管理・指令手段は、前記鉄道車両の外部からの情報に基づいて、当該所定の線路区間を走行するときの前記鉄道車両の前記電力蓄積手段が蓄積すべき電力の目標値を指令し、当該目標値の指令を受けた前記鉄道車両は前記電力蓄積手段における電力蓄積を前記目標値に基づいて制御することを特徴としている。
【００１６】
本鉄道車両の駆動システムにおいて、前記運行管理・指令手段は、前記目標値を指令する際に基づく情報として、前記所定の線路区間に存在する前記鉄道車両の本数を含む情報を用いることが好ましい。
【００１７】
本鉄道車両の駆動システムにおいては、車両に搭載した蓄電装置の蓄電量を車両外からの情報に基づいて調整する機能を設けることにより、変電所から車両に供給される電力の一部が補足され、変電所の使用電力が低減される。また、所定の路線区間を走行する列車数を検出し、その路線区間を走行する列車に搭載された蓄電装置の蓄電量をその列車数に応じて調整することにより、変電所から車両に供給される電力の一部が補足され、路線内の各変電所の使用電力が低減される。
【００１８】
本鉄道車両の駆動システムにおいては、前記運行管理・指令手段は、前記所定の線路区間に存在する前記鉄道車両の本数に応じて指令すべき前記電力蓄積手段の前記目標値を、前記電力蓄積手段の前記目標値に応じて充電又は放電すべき電力量と前記所定の線路区間に存在する前記鉄道車両の消費電力量との合計が前記所定の線路区間における前記電力供給手段の供給電力に対して平準化されるように、定めることができる。また、前記所定の線路区間に存在する前記鉄道車両が備える前記電力蓄積手段の電力蓄積水準は、前記所定の線路区間に存在する駅の数及び／又は前記鉄道車両の本数が多いほど低い水準に設定することができ、前記鉄道車両が増加する毎に低下する前記電力蓄積手段の前記電力蓄積水準の低下量を、前記鉄道車両の本数が多くなるにしたがって少なくなるように定めることができる。
【００１９】
本鉄道車両の駆動システムにおいて、各変電所からき電区間内の列車に供給する電力が少ない区間では、走行する車両の蓄電装置に積極的に蓄電するため、蓄電池の蓄電可能容量の範囲内で基準蓄電量よりも多く蓄電を許可する。また、各変電所からき電区間内の列車に供給する電力が多い区間では、走行する車両の蓄電装置に蓄えられた電力を積極的に放電して変電所からの電力を補足するため、蓄電池の蓄電を制限する。すなわち、各変電所からき電区間内の列車に供給する電力などの情報をもとに、各列車の蓄電池の蓄電容量を調整することで、変電所の使用電力を平準化する。
【発明の効果】
【００２０】
本発明によれば、車両に搭載した蓄電装置の蓄電量を、車両外からの情報に基づいて調整する機能を設けることにより、変電所から車両に供給される電力の一部を補足して、変電所の使用電力を低減し、さらに、所定の路線区間を走行する列車数を検出し、その区間を走行する列車に搭載された蓄電装置の蓄電量をその列車数に応じて調整することにより、変電所から車両に供給される電力の一部を補足して、路線内の各変電所の使用電力を平準化する、鉄道車両の駆動システムを実現することができる。
【図面の簡単な説明】
【００２１】
【図１】本発明の電気車の駆動システムにおける一実施形態の機器構成を示す図。
【図２】本発明の電気車の駆動システムにおける一実施形態の機器構成を示す図。
【図３】本発明の電気車の駆動システムの一実施形態における制御方式を示すブロック図。
【図４】本発明の電気車の駆動システムを複数列車で稼動させる場合の実施形態を示す図。
【図５】本発明の電気車の駆動システムを複数列車にて稼動させる場合の動作例を示す図。
【図６】本発明の電気車の駆動システムの蓄電量指令システムの処理を示すブロック図。
【図７】回生電力を吸収する蓄電装置を車上側のインバータ装置に併設する機器構成の一例を示す図。
【発明を実施するための形態】
【００２２】
以下、本発明の実施の形態について、図面を参照して説明する。
図１は、本発明による電気鉄道車両の駆動システムの一実施形態について、その基本構成を示す図である。車両１ａ，１ｂ，１ｃは、列車編成を構成する車両、又はその一部である。車両１ａと車両１ｂは車間連結器２ａで連結されている。車両１ｂと車両１ｃは車間連結器２ｂで連結されている。車両１ａは、台車４ａを介して輪軸５ａ，５ｂにより、また、台車４ｂを介して輪軸５ｃ，５ｄにより、図示していない同じ軌道のレール面上に支持されている。車両１ｂは、台車４ｃを介して輪軸５ｅ，５ｆにより、また、台車４ｄを介して輪軸５ｇ，５ｈにより、図示していない同じ軌道のレール面上に支持されている。車両１ｃは、台車４ｅを介して輪軸５ｉ，５ｊにより、また、台車４ｆを介して輪軸５ｋ，５ｌにより、図示していない同じ軌道のレール面上に支持されている。
【００２３】
車両１ａには、電力変換装置としてのインバータ装置６、蓄電システム７、指令情報受信装置８、情報制御手段９が搭載されている。インバータ装置６には、図示していない電力線を通して集電装置３により電力が供給される。この電力は、インバータ装置６により、可変電圧可変周波数（ＶＶＶＦ）の交流電力に変換され、図示していない電動機に供給して、輪軸５ａ，５ｂ，５ｃ，５ｄを駆動する。蓄電システム７は、蓄電された直流電力を放電して、インバータ装置６に供給可能である。蓄電システム７は、また、集電装置３により得られた電力を、インバータ装置６を介して充電可能である。
【００２４】
車両１ｂ，１ｃは、車両１ａに搭載しているインバータ装置６、蓄電システム７、指令情報受信装置８、情報制御手段９を搭載しておらず、輪軸５ｅ，５ｆ，５ｇ，５ｈ，５ｉ，５ｊ，５ｋ，５ｌは駆動されない付随車両として図示している。これは、一般的な車両構成に、本発明の鉄道車両の駆動システムを適用した一例であり、本発明の鉄道車両の駆動システムの構成と、車両構成の関連付け意図するものではない。
【００２５】
本発明による鉄道車両の駆動システムは、列車編成を構成する車両のうち、少なくとも一両にインバータ装置６、蓄電システム７、指令情報受信装置８、情報制御手段９を搭載する。同一編成内に車両１ａと同じ機器構成を持つ車両を複数連結する場合、或いは、車両１ａに搭載されているインバータ装置６、蓄電システム７、指令情報受信装置８、情報制御手段９を、複数の車両に分割搭載する場合でも、本発明の目的は達成できる。
【００２６】
指令情報送信装置１０は、地上に設備され、指令情報受信装置８に対して、蓄電量の目標値を送信する機能を持つ。
【００２７】
以上、説明したように、本鉄道車両の駆動システムの構成によると、地上の列車運転指令所等から与えられる蓄電量増減目標値は、地上に設備された指令情報送信装置１０から、車上に搭載された指令情報受信装置８に伝送し、情報制御手段９を経由して蓄電システム７内の充放電制御装置２０（図２参照）に入力される。充放電制御装置２０は、蓄電量増減目標値が負値であるとき、車両の加速時は蓄電システム７を放電し蓄電量を減少させ、ブレーキ時は回生電力を低減することで、蓄電量の増加を抑える。また、蓄電量増減目標値が正値ときは、車両の加速時は蓄電システム７を放電させず蓄電量の減少を抑え、ブレーキ時は架線に戻せない回生電力を積極的に蓄電して、蓄電量の増加を促す。
【００２８】
すなわち、本発明による鉄道車両の駆動システムによれば、車両に搭載した蓄電システムの蓄電量を、車両外からの情報に基づいて調整することにより、変電所から車両に供給される電力の一部を補足して変電所の使用電力を低減する、鉄道車両の駆動システムを実現できる。
【００２９】
図２は、本発明による鉄道車両の駆動システムにおける一実施形態の機器構成を示す図である。
【００３０】
集電装置３から給電した直流電力は、フィルタリアクトル１２、及びフィルタコンデンサ１３ａで構成するＬＣ回路（フィルタ回路）により高周波数域の変動分が除去された後、インバータ装置１４に入力される。インバータ装置１４は、入力された直流電力を可変電圧可変周波数（ＶＶＶＦ）の３相交流電力に変換して、主電動機１５ａ，１５ｂを駆動する。なお、ここではインバータ装置１４が駆動する主電動機が２台の場合を示しているが、インバータ装置１４が駆動する主電動機の台数は限定しない。電圧センサ１６ａは、フィルタコンデンサ１３ａの両端の直流部電圧Ｖ＿ｄｃを検出する。電流センサ１７ａ，１７ｂ，１７ｃは、インバータ装置１４と主電動機１５ａ，１５ｂとの間の３相交流電力線を流れる各相の電流を検出して、インバータ装置１４に入力する。電流センサ１７ｄは、蓄電装置２２に入出力する電流を検出する。接地点１０１はこの回路の基準電位を決めている。スイッチング素子１８ａ，１８ｂは、集電装置３及び接地点１０１とインバータ装置１４の間にある直流電力部のうち、高電位側と低電位側との間に直列配置する。電圧センサ１６ｂは、蓄電装置２２と平滑リアクトル２１の電力線間に配置されていて、後述の蓄電装置２２の端子間電圧Ｖ＿ｂｔｒを検出する。平滑コンデンサ１３ｂは、蓄電装置２２端子間に並列接続されていて、後述のスイッチング素子１８ａ，１８ｂの動作により発生する電流変動分が蓄電装置２２に流入することを抑える。
【００３１】
充放電制御装置２０は、インバータ装置１４の回生電力Ｐ＿ｉｎｖ、電圧センサ１６ａの電圧検出値Ｖ＿ｄｃ、電圧センサ１６ｂが検出した蓄電装置２２の端子間電圧である電圧検出値Ｖ＿ｂｔｒ、電流センサ１７ｄが検出した蓄電装置２２に入出力する電流の電流検出値Ｉ＿ｂｔｒ、システム統括制御装置（情報制御手段）９からのＳＯＣ目標値Ｔａｒｇｅｔ＿ＳＯＣ＿ｎを入力とし、ゲートアンプ１９ａ，１９ｂにスイッチング素子１８ａ，１８ｂのオン／オフを指令するゲートパルス信号ＧＰ１，ＧＰ２を出力する。ゲートアンプ１９ａ，１９ｂは、ゲートパルス信号ＧＰ１，ＧＰ２を入力とし、これを基にスイッチング素子１８ａ，１８ｂをオン／オフ可能な電圧制御信号に変換し、スイッチング素子１８ａ，１８ｂをオン／オフ制御する。
【００３２】
指令情報送信装置１０は、地上に設備されており、車載される指令情報受信装置８に対して、蓄電量の目標値を送信する機能を持つ。地上の列車運転指令所等から与えられる蓄電量目標値は、地上に設備された指令情報送信装置１０から車上に搭載された指令情報受信装置８に伝送され、情報制御手段９を経由して充放電制御装置２０に入力される。
【００３３】
蓄電装置２２としては、回生失効時など回生電力の瞬時吸収を最優先に考えるのであれば、単位体積当たりの充放電入出力性能が高い電気二重層キャパシタ装置などの適用が考えられる。しかし、積極的に省エネルギを進めるためには、付近に力行する車両が存在しないために回生電力を架線に戻せない状況でも、自車内でエネルギを蓄電して回生ブレーキを最大限動作させ、それを力行電力の一部として活用して、運動エネルギ損失を低減することが重要である。また、鉄道車両ではシステム冗長性の確保が重要であるため、停電状態でも安全な退避箇所までの自力走行を実現する要求が考えられる。このため、単位体積あたりの蓄電能力が高いリチウムイオン電池などで構成することが妥当と言える。
【００３４】
蓄電装置２２の充放電制御は、スイッチング素子１８ａ又は１８ｂを周期的にオン／オフすることで実現する。この充放電制御において、平滑リアクトル２１は、蓄電装置２２に通流する電流の変化率を所定値内に抑える機能を持つ。
【００３５】
ここで、スイッチング素子１８ｂを周期的にオン／オフすることにより、蓄電装置２２の電力を放電する制御について説明する。
スイッチング素子１８ｂを所定時間Ｔｏｎ＿ｂだけオンすると、蓄電装置２２の出力端子間は短絡されるが、平滑リアクトル２１は、その電流増加率を一定値内に抑えると同時に、Ｔｏｎ＿ｂの期間に通流した電流と蓄電装置２２の端子電圧との積を時間積分した電力エネルギを蓄える。その後、スイッチング素子１８ｂを所定時間Ｔｏｆｆ＿ｂだけオフすると、直流電力部側に平滑リアクトル２１に蓄えられた電力エネルギは、スイッチング素子１８ａのダイオード部を介して、集電装置３及び接地点１０１とインバータ装置１４の間にある直流電力部側に放出される。このとき、直流電力側で得られる電圧値Ｖ＿ｄｃは、蓄電装置２２の端子電圧Ｖ＿ｂｔｒを基準として、スイッチング素子１８ｂをオンする時間Ｔｏｎ＿ｂとオフする時間Ｔｏｆｆ＿ｂとの比率から次式で決定する。
［数１］
Ｖ＿ｄｃ＝Ｖ＿ｂｔｒ×（（Ｔｏｎ＿ｂ＋Ｔｏｆｆ＿ｂ）／Ｔｏｆｆ＿ｂ）
【００３６】
次に、スイッチング素子１８ａを周期的にオン／オフすることにより、蓄電装置２２に電力を充電する制御について説明する。
スイッチング素子１８ａを所定時間Ｔｏｎ＿ａだけオンすると、集電装置３及び接地点１０１とインバータ装置１４の間にある直流電力部の、接地点１０１に対する電位Ｖ＿ｄｃが、蓄電池２２の端子間電圧（接地点１０１に対する電位）Ｖ＿ｂｃよりも高いとき（Ｖ＿ｄｃ＞Ｖ＿ｂｃ）、直流電力部から蓄電装置２２の向きに電流が流れる。このとき、平滑リアクトル２１は、その電流増加率を一定値内に抑ると同時に、Ｔｏｎ＿ａの期間に通流した電流と蓄電装置２２の端子電圧との積を時間積分した電力エネルギを蓄える。その後、スイッチング素子１８ａを所定時間Ｔｏｆｆ＿ａだけオフすると、直流電力部側に平滑リアクトル２１に蓄えられた電力エネルギは、蓄電装置２２の高電位側端子から、低電位側端子に抜け、スイッチング素子１８ｂのダイオード部を経て、平滑リアクトル２１に戻る一巡の回路が構成される。すなわち、スイッチング素子１８ａを所定時間Ｔｏｆｆ＿ａだけオフしている期間は、平滑リアクトル２１に蓄えられた電力エネルギが、蓄電装置２２に充電電流が流れ続け、平滑リアクトル２１に蓄えられた電力エネルギが放出されるに従って充電電流は減衰していく。このとき、蓄電装置２２で得られる端子間電圧値Ｖ＿ｂｔｒは、直流電力側Ｖ＿ｄｃを基準として、前述のスイッチング素子１８ａをオンする時間Ｔｏｎ＿ａとオフする時間Ｔｏｆｆ＿ａとの比率から次式で決定する。
［数２］
Ｖ＿ｂｔｒ＝Ｖ＿ｄｃ×（Ｔｏｎ＿ａ／（Ｔｏｎ＿ａ＋Ｔｏｆｆ＿ａ））
【００３７】
以上の構成により、電圧センサ１６ａの直流部電圧検出値Ｖ＿ｄｃの時間変化率ｄＶ＿ｄｃ／ｄｔを制御装置１０で演算し、ｄＶ＿ｄｃ／ｄｔが所定値を超えたとき、電流センサ１７ｄの電流検出値Ｉ＿ｂｔｒを、所定の充電電流指令値Ｒｅｆ＿Ｉ＿ｃｈｇ（図２には図示していない。図３参照）に追従するように、ゲートアンプ１９ａ，１９ｂの出力であるゲートパルス信号ＧＰ１，ＧＰ２を制御して、スイッチング素子１８ａ，１８ｂを駆動できる。
【００３８】
また、インバータ装置１４の回生電力Ｐ＿ｒｅｇｅｎと、蓄電装置２２の端子間電圧Ｖ＿ｂｔｒより、蓄電装置２２に充電可能な充電電流指令値Ｒｅｆ＿Ｉ＿ｄｃｇ（図２には図示していない。図３参照）を充放電制御装置２０で演算し、電流センサ１７ｄの電流検出値Ｉ＿ｂｔｒを、前述の充電電流指令値Ｒｅｆ＿Ｉ＿ｄｃｇに追従するように、ゲートアンプ１９ａ，１９ｂの出力であるゲートパルス信号ＧＰ１，ＧＰ２を制御して、スイッチング素子１８ａ，１８ｂを駆動できる。
【００３９】
これにより、充放電制御装置２０は、地上の列車運転指令所等から指令情報送信装置１０、指令情報受信装置８を経由して蓄電量増減目標値を受信し、蓄電量増減目標値が負値のときは、車両の加速時は蓄電装置２２を放電し蓄電量を減少させ、ブレーキ時は回生電力を低減することで、蓄電量の増加を抑えるように制御する。また、蓄電量増減目標値が正値ときは、車両の加速時は蓄電装置２２を放電させず蓄電量の減少を抑え、ブレーキ時は架線に戻せない回生電力を積極的に蓄電して、蓄電量が増加するように制御する。
すなわち、本発明によれば、車両に搭載した蓄電システムの蓄電量を、車両外からの情報に基づいて調整することにより、変電所から車両に供給される電力の一部を補足して変電所の使用電力を低減する、鉄道車両の駆動システムを実現している。
【００４０】
図３は、本発明による鉄道車両の駆動システムの一実施形態における制御方式を示すブロック図である。
【００４１】
本発明による鉄道車両の駆動システムの一実施形態における充放電制御装置２０では、以下の制御方式を実施する。
加算器４０は、基準蓄電量Ｒｅｆ＿ＳＯＣに、蓄電量増減目標値Ｔａｒｇｅｔ＿ＳＯＣ＿ｎを加算して、蓄電量目標値Ｒｅｆ＿ＳＯＣ＿２を算出する。加減算器３１ａは、蓄電量目標値Ｒｅｆ＿ＳＯＣ＿２から、蓄電装置２２の蓄電量ＳＯＣを減算して、蓄電量差分Ｄｅｌｔａ＿ＳＯＣ＿ａを算出する。比較器３２ａは、蓄電量差分Ｄｅｌｔａ＿ＳＯＣ＿ａを入力とするヒステリシス付比較器である。蓄電量差分Ｄｅｌｔａ＿ＳＯＣ＿ａが０［％］よりも小さい状態から１［％］よりも大きい状態に移行した後は、充放電選択信号「Ｓｅｌ＿ｃｈｇｄｃｇ＝１」を出力し、蓄電量差分Ｄｅｌｔａ＿ＳＯＣ＿ａが１［％］よりも大きい状態から０［％］よりも小さい状態に移行した後は、充放電選択信号「Ｓｅｌ＿ｃｈｇｄｃｇ＝０」を出力する。ここで、比較器３２ａの比較基準値０［％］に対するヒステリシス１［％］は、数値限定するものではなく、比較基準値０［％］と異なりそれよりも僅かに大きい数値であればよい。
【００４２】
加減算器３１ｂは、蓄電量上限値Ｌｉｍｉｔ＿ＳＯＣ＿ｕｐｐｅｒから、蓄電装置２２の蓄電量ＳＯＣを減算して、蓄電量差分Ｄｅｌｔａ＿ＳＯＣ＿ｂを算出する。比較器３２ｂは、蓄電量差分Ｄｅｌｔａ＿ＳＯＣ＿ｂを入力とするヒステリシス付比較器である。蓄電量差分Ｄｅｌｔａ＿ＳＯＣ＿ｂが０［％］よりも小さい状態から１［％］よりも大きい状態に移行した後は、充電許可信号「Ｐｅｒ＿ｃｈｇ＝１」を出力し、蓄電量差分Ｄｅｌｔａ＿ＳＯＣ＿ｂが１［％］よりも大きい状態から０［％］よりも小さい状態に移行した後は充電許可信号「Ｐｅｒ＿ｃｈｇ＝０」を出力する。ここで比較器３２ｂの比較基準値０［％］に対するヒステリシス１［％］は、数値限定するものではなく、比較基準値０［％］と異なりそれよりも僅かに大きい数値であればよい。
【００４３】
加減算器３１ｃは、蓄電量下限値Ｌｉｍｉｔ＿ＳＯＣ＿ｌｏｗｅｒから、蓄電装置２２の蓄電量ＳＯＣを減算して、蓄電量差分Ｄｅｌｔａ＿ＳＯＣ＿ｃを算出する。比較器３２ｃは、蓄電量差分Ｄｅｌｔａ＿ＳＯＣ＿ｃを入力とするヒステリシス付比較器である。蓄電量差分Ｄｅｌｔａ＿ＳＯＣ＿ｃが０［％］よりも大きい状態から−１［％］よりも小さい状態に移行した後は、放電許可信号「Ｐｅｒ＿ｄｃｇ＝１」を出力し、蓄電量差分Ｄｅｌｔａ＿ＳＯＣ＿ｃが−１［％］よりも小さい状態から０［％］よりも大きい状態に移行した後は充電許可信号「Ｐｅｒ＿ｄｃｇ＝０」を出力する。ここで、比較器３２ｃの比較基準値０［％］に対するヒステリシス−１［％］は、数値限定するものではなく、比較基準値０［％］と異なりそれよりも僅かに小さい数値であればよい。
【００４４】
論理積演算器３４ａは、充放電選択信号Ｓｅｌ＿ｃｈｇｄｃｇを、論理反転器３３で反転した信号と、充電許可信号Ｐｅｒ＿ｃｈｇを入力として、その論理積である充電可能信号Ｅｂｌ＿ｃｈｇを算出する。論理積演算器３４ｂは、充放電選択信号Ｓｅｌ＿ｃｈｇｄｃｇと、放電許可信号Ｐｅｒ＿ｄｃｇを入力として、その論理積である充電可能信号Ｅｂｌ＿ｄｃｇを算出する。
【００４５】
論理積演算器３４ｃは、回生ブレーキ動作指令Ｃｍｄ＿Ｒｅｇｅｎと、充電可能信号Ｅｂｌ＿ｄｃｇを入力として、その論理積である充電ゲートスタート指令Ｃｍｄ＿ｇｓｔ＿ｃｈｇを算出する。論理積演算器３４ｄは、力行動作指令Ｃｍｄ＿ｐｏｗｅｒと、放電許可信号Ｐｅｒ＿ｄｃｇを入力として、その論理積である放電ゲートスタート指令Ｃｍｄ＿ｇｓｔ＿ｄｃｇを算出する。論理和演算器３５は、充電ゲートスタート指令Ｃｍｄ＿ｇｓｔ＿ｃｈｇと、放電ゲートスタート指令Ｃｍｄ＿ｇｓｔ＿ｄｃｇを入力として、その論理和である充放電ゲートスタート指令Ｃｍｄ＿ｇｓｔ＿ｃｈｇｄｃｇを算出する。
【００４６】
選択器３６ａは、充電ゲートスタート指令Ｃｍｄ＿ｇｓｔ＿ｃｈｇと、フィルタコンデンサ電圧をリミットＡＶＲ制御する上での上限値であるフィルタコンデンサ電圧リミットＡＶＲ制御上限値Ｒｅｆ＿ａｖｒ＿ｅｃｆと、フィルタコンデンサ電圧Ｅｃｆを入力とする。充電ゲートスタート指令Ｃｍｄ＿ｇｓｔ＿ｃｈｇが「０」（充電ゲートスタートの指令中以外）のときは上限値Ｒｅｆ＿ａｖｒ＿ｅｃｆを選択して出力し、充電ゲートスタート指令Ｃｍｄ＿ｇｓｔ＿ｃｈｇが「１」（充電ゲートスタートの指令中）のときはフィルタコンデンサ電圧Ｅｃｆを選択して出力する。加減算器３１ｄは、選択器３６ａの出力であるリミットＡＶＲ制御の基準値Ｒｅｆ＿ａｖｒから、フィルタコンデンサ電圧Ｅｃｆを減算して、リミットＡＶＲ制御の電圧差分値Ｄｅｌｔａ＿ａｖｒを算出する。安定化制御器３７ａは、充電ゲートスタート指令Ｃｍｄ＿ｇｓｔ＿ｃｈｇと電圧差分値Ｄｅｌｔａ＿ａｖｒとを入力として、充電ゲートスタート指令Ｃｍｄ＿ｇｓｔ＿ｃｈｇが「１」のとき、電圧差分値Ｄｅｌｔａ＿ａｖｒを最小化するための操作量Ｒｅｆ＿Ｉ＿ｃｈｇを演算して出力する。なお、充電ゲートスタート指令Ｃｍｄ＿ｇｓｔ＿ｃｈｇが「０」のときは、常に、操作量「Ｒｅｆ＿Ｉ＿ｃｈｇ＝０」を出力する。
【００４７】
選択器３６ｂは、充電ゲートスタート指令Ｃｍｄ＿ｇｓｔ＿ｃｈｇと、蓄電装置２２の放電電流指令値Ｒｅｆ＿Ｉ＿ｄｃｇと、安定化制御器３７ａで演算された操作量Ｒｅｆ＿Ｉ＿ｃｈｇを入力とする。充電ゲートスタート指令Ｃｍｄ＿ｇｓｔ＿ｃｈｇが「０」（充電ゲートスタートの指令中以外）のときは放電電流指令値Ｒｅｆ＿Ｉ＿ｄｃｇを選択して出力し、充電ゲートスタート指令Ｃｍｄ＿ｇｓｔ＿ｃｈｇが「１」（充電ゲートスタートの指令中）のときは操作量Ｒｅｆ＿Ｉ＿ｃｈｇを選択して出力する。加減算器３１ｅは、選択器３６ｂの出力であるＡＣＲ制御の基準値Ｒｅｆ＿ａｃｒから、蓄電池電流Ｉ＿ｂｔｒを減算して、ＡＣＲ制御の電流差分値Ｄｅｌｔａ＿ａｃｒを算出する。安定化制御器３７ｂは、充放電ゲートスタート指令Ｃｍｄ＿ｇｓｔ＿ｃｈｇｄｃｇと、電流差分値Ｄｅｌｔａ＿ａｃｒを入力とする。充放電ゲートスタート指令Ｃｍｄ＿ｇｓｔ＿ｃｈｇｄｃｇが「１」のとき、電流差分値Ｄｅｌｔａ＿ａｃｒを最小化するための操作量Ｄｅｌｔａ＿Ｖを演算して出力する。なお、充放電ゲートスタート指令Ｃｍｄ＿ｇｓｔ＿ｃｈｇｄｃｇが「０」のときは、常に，操作量「Ｄｅｌｔａ＿Ｖ＝０」を出力する。
【００４８】
ＰＷＭ生成器３８は、充放電ゲートスタート指令Ｃｍｄ＿ｇｓｔ＿ｃｈｇｄｃｇと、電圧操作量Ｄｅｌｔａ＿Ｖと、蓄電池電圧Ｖ＿ｂｔｒを入力とする。充放電ゲートスタート指令Ｃｍｄ＿ｇｓｔ＿ｃｈｇｄｃｇが「１」のとき、電圧操作量Ｄｅｌｔａ＿Ｖと、蓄電池電圧Ｖ＿ｂｔｒをもとに、ＰＷＭゲートパルス信号ＧＰ１を生成する。なお、充放電ゲートスタート指令Ｃｍｄ＿ｇｓｔ＿ｃｈｇｄｃｇが「０」のときは、ＰＷＭゲートパルス信号を出力しない。
【００４９】
位相シフト演算器３９は、ＰＷＭゲートパルス信号ＧＰ１を入力として、ＰＷＭゲートパルス信号ＧＰ１に対して、１８０度だけ位相を遅らせたＰＷＭゲートパルス信号ＧＰ２を生成して出力する。
【００５０】
これにより、充放電制御装置２０は、地上の列車運転指令所等から本図面では図示していない指令情報送信装置１０、指令情報受信装置８及び情報制御手段９を経由して蓄電量増減目標値を受信し、蓄電量増減目標値が負値のとき、車両の加速時は蓄電装置２２を放電し蓄電量を減少させ、ブレーキ時は回生電力を低減することで、蓄電量の増加を抑えるように制御する。また、蓄電量増減目標値が正値のとき、車両の加速時は蓄電装置２２を放電させず蓄電量の減少を抑え、ブレーキ時は架線に戻せない回生電力を積極的に蓄電して、蓄電量が増加するように制御する。
【００５１】
すなわち、本発明によれば、車両に搭載した蓄電システムの蓄電量を、車両外からの情報に基づいて調整することにより、変電所から車両に供給される電力の一部を補足して変電所の使用電力を平滑にする、鉄道車両の駆動システムを実現できる。
【００５２】
図４は、本発明による鉄道車両の駆動システムを複数列車で稼動させる場合の実施形態である。
【００５３】
列車４６は、模式的に一車両にて示しているが、特に１両編成に限定するものではなく、複数車両が連結された一列車についても適用できる。電力発生手段４１ａは、電力供給手段４２ａを介して列車４６ａ，４６ｂに電力を供給する。電力発生手段４１ｂは、電力供給手段４２ｂを介して列車４６ｃ，４６ｄ，４６ｅ，４６ｆに電力を供給する。電力発生手段４１ｃは、電力供給手段４２ｃを介して列車４６ｇ，４６ｈ，４６ｉに電力を供給する。ここで、電力供給手段４２ａ，４２ｂ，４２ｃは、電気的に互いに絶縁されており、相互で電力にやり取りはしない。ここで、電力発生手段４１としては、産業用の高圧交流電力を鉄道用の直流電力に変換する変電所を想定しているが、電力を一時蓄積する蓄電手段（バッテリ、キャパシタ等）や、小型の発電手段（エンジン発電機、燃料電池等）と電力変換手段に組み合わせとすることも考えられる。また、電力供給手段４２としては、架線方式、第三軌条方式、第三・第四軌条方式等を適用することが考えられる。
【００５４】
また、鉄道では一般的に走行用レールと車両で軌道回路を構成する。二本のレールを車両の車軸で短絡することにより、一閉塞区間内における車両の有無を把握できる。軌道回路群４３ａ，４３ｂ，４３ｃは、複数の軌道回路で構成され、前述の電力供給手段４２ａ，４２ｂ，４２ｃと同一の区間に存在する軌道回路、すなわち閉塞区間のグループとする。すなわち、電力供給手段４２ａと軌道回路群４３ａで電力管理区間（１）、電力供給手段４２ｂと軌道回路群４３ｂで電力管理区間（２）、電力供給手段４２ｃと軌道回路群４３ｃで電力管理区間（３）を構成する。
【００５５】
ここでは、軌道回路群４３ａには列車４６ａ，４６ｂが在線しており、同じく軌道回路群４３ｂには列車４６ｃ，４６ｄ，４６ｅ，４６ｆが、軌道回路群４３ｃには列車４６ｇ，４６ｈ，４６ｉが在線している。列車運行管理システム４４は、前述の軌道回路群４３ａ，４３ｂ，４３ｃから、情報収集手段４８ａ，４８ｂ，４８ｃを介して各閉塞区間の在線情報を収集し、各電力管理区間における在線本数Ｎｕｍ＿ｔｒａｉｎ＿１、Ｎｕｍ＿ｔｒａｉｎ＿２、Ｎｕｍ＿ｔｒａｉｎ＿３を算出する。列車運行指令システム４５は、列車運行管理システム４４から、各電力管理区間（１）、（２）、（３）における在線本数Ｎｕｍ＿ｔｒａｉｎ＿１、Ｎｕｍ＿ｔｒａｉｎ＿２、Ｎｕｍ＿ｔｒａｉｎ＿３を受信し、これを基に電力管理区間（１）、（２）、（３）のそれぞれに在線する列車に指令する蓄電量増減目標値Ｔａｒｇｅｔ＿ＳＯＣ＿１、Ｔａｒｇｅｔ＿ＳＯＣ＿２、Ｔａｒｇｅｔ＿ＳＯＣ＿３を算出する。蓄電量増減目標値Ｔａｒｇｅｔ＿ＳＯＣ＿１、Ｔａｒｇｅｔ＿ＳＯＣ＿２、Ｔａｒｇｅｔ＿ＳＯＣ＿３は、情報伝達手段４７ａ，４７ｂ，４７ｃを介して指令情報送信装置１０ａ，１０ｂ，１０ｃに送られ、指令情報送信装置１０ａ，１０ｂ，１０ｃから、列車４６のそれぞれに搭載されている指令情報受信装置８に伝送される。ここで、列車運行指令システム４５、情報伝達手段４７、指令情報送信装置１０ａ，１０ｂ，１０ｃで構成され、蓄電量増減目標値Ｔａｒｇｅｔ＿ＳＯＣ＿１、Ｔａｒｇｅｔ＿ＳＯＣ＿２、Ｔａｒｇｅｔ＿ＳＯＣ＿３を車両の指令情報受信装置８に伝達する手段としては、既存のＡＴＣ( Ａｕｔｏｍａｔｉｃ  Ｔｒａｉｎ  Ｃｏｎｔｒｏｌ）システムによる列車制御情報伝送手段を活用して、蓄電量増減目標値Ｔａｒｇｅｔ＿ＳＯＣ＿１、Ｔａｒｇｅｔ＿ＳＯＣ＿２、Ｔａｒｇｅｔ＿ＳＯＣ＿３を、その伝達情報の一部とすることもできると考えられる。
【００５６】
この構成によれば、所定の路線区間を走行する列車数を算定し、その区間を走行する列車に搭載された蓄電装置の蓄電量を、その列車数に応じて調整する蓄電量増減目標値を算出できる。また、列車４６のそれぞれに搭載される充放電制御装置２０（図示していない。図２参照）は、指令情報送信装置１０、指令情報受信装置８を経由して蓄電量増減目標値を受信し、蓄電量増減目標値が負値のとき、車両の加速時は蓄電装置２２を放電し蓄電量を減少させ、ブレーキ時は回生電力を低減することで、蓄電量の増加を抑えるように制御する。また、蓄電量増減目標値が正値のとき、車両の加速時は蓄電装置２２を放電させず蓄電量の減少を抑え、ブレーキ時は架線に戻せない回生電力を積極的に蓄電して、蓄電量が増加するように制御する。
【００５７】
すなわち、本発明によれば、車両に搭載した蓄電システムの蓄電量を、車両外からの情報に基づいて調整することにより、変電所から車両に供給される電力の一部を補足して変電所の使用電力を低減する、鉄道車両の駆動システムを実現できる。
【００５８】
図５は、本発明の電気車の駆動システムを複数列車にて稼動させる場合の動作例を示す図である。
【００５９】
電力管理区間（１）には２本の列車が在線しているので、「Ｎｕｍ＿ｔｒａｉｎ＿１＝２」である。電力管理区間（２）には４本の列車が在線しているので、「Ｎｕｍ＿ｔｒａｉｎ＿２＝４」である。電力管理区間（３）には３本の列車が在線しているので、「Ｎｕｍ＿ｔｒａｉｎ＿３＝３」である。
【００６０】
ここでは、説明を簡略化するため、各列車の蓄電装置２２の初期蓄電量は「ＳＯＣ＝５０％」で等しいとする。また、蓄電量増減目標値として、具体的にＬｅｖｅｌ＿１＝＋３０％、Ｌｅｖｅｌ＿２＝＋１０％、Ｌｅｖｅｌ＿３＝±０％、Ｌｅｖｅｌ＿４＝−５％、Ｌｅｖｅｌ＿５＝−２．５％に対応付ける。
【００６１】
電力管理区間（１）は、閑散区間であり２本の列車が在線している。各列車の駅間走行時の消費電力量は各々Ａ［ｋＷｈ］とする。在線数が少ないため、この区間における消費電力量には余裕があると判断し、蓄電量増減目標値をＬｅｖｅｌ＿２（Ｔａｒｇｅｔ＿ＳＯＣ＿１＝２）に設定して、各列車の蓄電装置２２を初期値蓄電量５０％から、＋１０％（Ｌｅｖｅｌ＿２）だけ充電して６０％とする。このとき充電される量は各列車Ａ／２［ｋＷ］であったとする。これより、電力管理区間（１）に在線する全列車の消費電力量、すなわち電力発生手段４１ａの消費電力量Ｅ１は次の通りである。
［数３］
Ｅ１＝Ａ［ｋＷｈ／列車］×２［列車］＋Ａ／２［ｋＷｈ／列車］×２［列車］
＝３Ａ［ｋＷｈ］
【００６２】
これらの列車は、引き続き電力管理区間（２）に移動する。この区間は混雑区間であり、４本の列車が在線している。各列車の駅間走行時の消費電力量は各々Ａ［ｋＷｈ］とする。在線数が多いため、この区間における消費電力量は過大になると判断し、蓄電量増減目標値をＬｅｖｅｌ＿４（Ｔａｒｇｅｔ＿ＳＯＣ＿２＝４）に設定して、各列車の蓄電装置２２を電力管理区間（１）における蓄電量６０％から、−５％（Ｌｅｖｅｌ＿２）だけ放電して５５％とする。このときの放電される量は各列車Ａ／４［ｋＷ］であったとする。これより、電力管理区間（２）に在線する全列車の消費電力量、すなわち電力発生手段４１ｂの消費電力量Ｅ２は次の通りである。
［数４］
Ｅ２＝Ａ［ｋＷｈ／列車］×４［列車］−Ａ／４［ｋＷｈ／列車］×４［列車］
＝３Ａ［ｋＷｈ］
【００６３】
これらの列車は、引き続き電力管理区間（３）に移動する。この区間の混雑度は平均的であり、３本の列車が在線している。各列車の駅間走行時の消費電力量は各々Ａ［ｋＷｈ］とする。混雑度は平均的であるため、この区間における消費電力量は過大になると判断し、蓄電量増減目標値をＬｅｖｅｌ＿３（Ｔａｒｇｅｔ＿ＳＯＣ＿１＝３）に設定して、各列車の蓄電装置２２を電力管理区間（２）における蓄電量５５％から、増減なし（Ｌｅｖｅｌ＿３）として５５％を維持する。このときの放電される量は各列車０［ｋＷ］である。これより、電力管理区間（３）に在線する全列車の消費電力量、すなわち電力発生手段４１ｃの消費電力量Ｅ３は次の通りである。
［数５］
Ｅ３＝Ａ［ｋＷｈ／列車］×３［列車］−０［ｋＷｈ／列車］×３［列車］
＝３Ａ［ｋＷｈ］
【００６４】
以上より、電力管理区間（１）〜（３）の消費電力量Ｅ１〜Ｅ３は、３Ａ［ｋＷｈ］で等しく制御される。これはすなわち、消費電力の少ない電力管理区間から、消費電力の多い電力管理区間へ、車載の蓄電池により電力を移動することで、各電力管理区間の消費電力を平準化していると見ることができる。
【００６５】
すなわち、本発明によれば、車両に搭載した蓄電システムの蓄電量を、車両外からの情報に基づいて調整することにより、変電所から車両に供給される電力の一部を補足して変電所の使用電力を平滑にする、鉄道車両の駆動システムを実現できる。
【００６６】
図６は、本発明の電気車の駆動システムの蓄電量指令システムの処理を示すブロックである。各電力管理区間の在線本数情報Ｎｕｍ＿ｔｒａｉｎ＿１、Ｎｕｍ＿ｔｒａｉｎ＿２…Ｎｕｍ＿ｔｒａｉｎ＿ｎは、運行管理システム４４で算出され、蓄電量指令システム４５に送られる。蓄電量指令システム４５は、運行管理システム４４より送られる在線本数情報Ｎｕｍ＿ｔｒａｉｎ＿１、Ｎｕｍ＿ｔｒａｉｎ＿２…Ｎｕｍ＿ｔｒａｉｎ＿ｎのそれぞれに蓄電量増減管理テーブル４９ａ，４９ｂ…４９ｎを対応付ける。
【００６７】
蓄電量増減管理テーブル４９は、在線本数情報（Ｎｕｍ＿ｔｒａｉｎ＿ｎ）の入力に対して、蓄電量増減目標値（Ｔａｒｇｅｔ＿ＳＯＣ＿ｎ）を決定する。在線本数が基準本数より少ない電力量管理区間では、余剰分の電力量を各列車の蓄電装置２２に蓄電し、在線本数が基準本数より多い電力量管理区間では、不足分の電力量を各列車の蓄電装置２２から放電して、各列車の消費電力を補足する。このため、在線本数情報（Ｎｕｍ＿ｔｒａｉｎ＿ｎ）と、蓄電量増減目標値（Ｔａｒｇｅｔ＿ＳＯＣ＿ｎ）の関係は、５段階の蓄電量増減目標値としたとき、在線本数が基準本数のときをＬｅｂｅｌ＿３とすると、以下の関係を満たすように設定する必要がある。
［数６］
Ｌｅｂｅｌ＿１−Ｌｅｂｅｌ＿２≧Ｌｅｂｅｌ＿２−Ｌｅｂｅｌ＿３≧Ｌｅｂｅｌ＿３−Ｌｅｂｅｌ＿４≧Ｌｅｂｅｌ＿４−Ｌｅｂｅｌ＿５
【００６８】
図５に示した蓄電量増減目標値は、その一例である。すなわち、Ｌｅｂｅｌ＿１＝＋３０［％］、Ｌｅｂｅｌ＿２＝＋１０［％］、Ｌｅｂｅｌ＿３＝±０［％］、Ｌｅｂｅｌ＿４＝−５［％］、Ｌｅｂｅｌ＿５＝−２．５［％］と設定すると、
Ｌｅｂｅｌ＿１−Ｌｅｂｅｌ＿２＝２０［％］、
Ｌｅｂｅｌ＿２−Ｌｅｂｅｌ＿３＝１０［％］、
Ｌｅｂｅｌ＿３−Ｌｅｂｅｌ＿４＝５［％］、
Ｌｅｂｅｌ＿４−Ｌｅｂｅｌ＿５＝２．５［％］
であり、［数６］を満たす。
【００６９】
以上の一例のように、［数６］を満たすように、蓄電量増減管理テーブル４９の在線本数情報と、蓄電量増減目標値の関係を設定すれば、電力管理区間毎の在線本数に応じて、蓄電量増減目標値が決定される。具体的には、在線本数が少ない区間では積極的な充電を行なうことで、実際に列車の運行に消費する以上の電力が電力発生手段より供給される。また、在線本数が多い区間では積極的な放電を行なうことで、電力発生手段より供給される電力は実際に列車の運行に消費する電力以下にできる。
【００７０】
すなわち、本発明によれば、車両に搭載した蓄電システムの蓄電量を、車両外からの情報に基づいて調整することにより、変電所から車両に供給される電力の一部を補足して変電所の使用電力を平滑にする、鉄道車両の駆動システムを実現できる。なお、本発明では、鉄道車両を対象として説明したが、車両としては、２本のレールから成る線路を走行する車両ばかりでなく、モノレールや新都市交通システム等を含むものであってもよいのは明らかである。
【符号の説明】
【００７１】
１…車両                            ２…車間連結器
３…集電装置                        ４…台車
５…輪軸                            ６…インバータ装置
７…蓄電システム
８…蓄電量指令受信装置（指令情報受信装置）
９…システム統括制御装置（情報制御手段）
１０…蓄電量指令送信装置（指令情報送信装置）
１２…フィルタリアクトル            １３…フィルタコンデンサ
１４…インバータ装置                １５…主電動機
１６…電圧センサ                    １７…電流センサ
１８…スイッチング素子              １９…ゲートアンプ
２０…充放電制御装置                ２１…平滑リアクトル
２２…蓄電装置                      ２４…インバータ装置
３１…加減算器                      ３２…比較器
３３…論理反転器                    ３４…論理積演算器
３５…論理和演算器                  ３６…切替器
３７…安定化制御器                  ３８…ＰＷＭ生成器
３９…位相シフト演算器              ４０…加算器
４１…電力発生手段                  ４２…電力供給手段
４３…軌道回路群                    ４４…列車運行管理システム
４５…列車運行指令システム          ４６…列車
４７…情報伝達手段                  ４８…情報収集手段
４９…蓄電量増減管理テーブル
【図１】
2012197055.tif 000003
【図２】
2012197055.tif 000004
【図３】
2012197055.tif 000005
【図４】
2012197055.tif 000006
【図５】
2012197055.tif 000007
【図６】
2012197055.tif 000008
【図７】
2012197055.tif 000009